(57)【要約】  光ピックアップ装置（１０）は、情報記録媒体（１００）の記録面に出射光を照射する光源（１１）と、出射光の光強度を略正弦波形状に変化させるように光源を制御する光強度制御手段（２６）と、出射光の光路上に配置され、入射される出射光の透過量を変更するフィルタ（１３）と、出射光の透過量を変更するようにフィルタを制御するフィルタ制御手段（２７）とを備える。
2007052639.tif 000002
【特許請求の範囲】
【請求項１】
情報記録媒体の記録面に出射光を照射する光源と、
前記出射光の光強度を略正弦波形状に変化させるように前記光源を制御する光強度制御手段と、
前記出射光の光路上に配置され、入射される前記出射光の透過量を変更するフィルタと、
前記出射光の透過量を変更するように前記フィルタを制御するフィルタ制御手段と
を備えることを特徴とする光ピックアップ装置。
【請求項２】
前記フィルタ制御手段は、前記情報記録媒体に記録されるデータに応じて前記フィルタの透過量を変更するように前記フィルタを制御することを特徴とする請求の範囲第１項に記載の光ピックアップ装置。
【請求項３】
前記フィルタ制御手段は、前記情報記録媒体に記録されるデータに応じたストラテジパルスに応じて前記フィルタの透過量を変更するように前記フィルタを制御することを特徴とする請求の範囲第１項に記載の光ピックアップ装置。
【請求項４】
前記ストラテジパルスは、所定の第１振幅を有する第１パルスと前記第１振幅よりも小さい第２振幅を有する第２パルスとを少なくとも含んでおり、
前記フィルタ制御手段は、前記第１パルスに応じた前記フィルタの透過量が、前記第２パルスに応じた前記フィルタの透過量よりも増加するように前記フィルタを制御することを特徴とする請求の範囲第３項に記載の光ピックアップ装置。
【請求項５】
前記光強度制御手段は、前記情報記録媒体に記録されるデータに応じて前記出射光の光強度を変化させるように前記光源を制御することを特徴とする請求の範囲第１項に記載の光ピックアップ装置。
【請求項６】
前記光強度制御手段は、前記情報記録媒体に記録されるデータに応じたストラテジパルスに応じて前記出射光の光強度を変化させるように前記光源を制御することを特徴とする請求の範囲第１項に記載の光ピックアップ装置。
【請求項７】
前記ストラテジパルスは、所定の第１振幅を有する第１パルスと前記第１振幅よりも小さい第２振幅を有する第２パルスとを少なくとも含んでおり、
前記光強度制御手段は、前記第１パルスに応じた前記出射光の光強度が、前記第２パルスに応じた前記出射光の光強度よりも大きくなるように前記光源を制御することを特徴とする請求の範囲第６項に記載の光ピックアップ装置。
【請求項８】
前記出射光の光強度の増減における立ち上がり及び立ち下がりの夫々の位相と、前記フィルタの透過量の変更における立ち上がり及び立ち下がりの夫々の位相とを同期させる同期手段を更に備えることを特徴とする請求の範囲第１項に記載の光ピックアップ装置。
【請求項９】
前記フィルタを透過した前記出射光の光強度をモニタリングするモニタリング手段を更に備え、
前記同期手段は、モニタリングされた光強度の積分値と所定の基準値とを比較することで、前記位相を同期させることを特徴とする請求の範囲第８項に記載の光ピックアップ装置。
【請求項１０】
時間ｔにおける前記出射光の光強度の積分値をＶ（ｔ）とすると、前記同期手段は、Ｖ（ｔ＋Δｔ）―Ｖ（ｔ）が０又は最大値をとるように前記位相を同期させることを特徴とする請求の範囲第９項に記載の光ピックアップ装置。
【請求項１１】
前記フィルタは、
印加される電圧の値により吸収波長が変化する吸光層と、
前記吸光層に対して前記電圧を印加する電極と
を備えており、
前記フィルタ制御手段は、前記電極に対して印加する前記電圧の値を変更することで、前記フィルタの透過量を変更するように前記フィルタを制御することを特徴とする請求の範囲第１項に記載の光ピックアップ装置。
【請求項１２】
前記フィルタは、
印加される電圧の値により分子配列が変化する液晶素子を含む液晶層と、
前記液晶層に対して前記電圧を印加する電極と
を備えており、
前記フィルタ制御手段は、前記電極に対して印加する前記電圧の値を変更することで、前記フィルタの透過量を変更するように前記フィルタを制御することを特徴とする請求の範囲第１項に記載の光ピックアップ装置。
【請求項１３】
前記フィルタは、前記出射光の光路に対して予め定められた角度を持って配置されていることを特徴とする請求の範囲第１項に記載の光ピックアップ装置。
【請求項１４】
情報記録媒体の記録面に出射光を照射する光源と、前記出射光の光路上に配置され、入射される前記出射光の透過量を変更するフィルタとを備える光ピックアップ装置における前記出射光の照射方法であって、
前記出射光の光強度を略正弦波形状に変化させるように前記光源を制御する光強度制御工程と、
前記出射光の透過量を変更するように前記フィルタを制御するフィルタ制御工程と
を備えることを特徴とする照射方法。
【請求項１５】
情報記録媒体の記録面に出射光を照射する光源と、
前記出射光の光強度を略正弦波形状に変化させるように前記光源を制御する光強度制御手段と、
前記出射光の光路上に配置され、入射される前記出射光の透過量を変更するフィルタと、
前記出射光の透過量を変更するように前記フィルタを制御するフィルタ制御手段と、
前記情報記録媒体にデータを記録する記録手段と
を備えることを特徴とする情報記録装置。
【請求項１６】
情報記録媒体の記録面に出射光を照射する光源と、
前記出射光の光強度を略正弦波形状に変化させるように前記光源を制御する光強度制御手段と、
前記出射光の光路上に配置され、入射される前記出射光の透過量を変更するフィルタと、
前記出射光の透過量を変更するように前記フィルタを制御するフィルタ制御手段と、
前記情報記録媒体に記録されたデータを再生する再生手段と
を備えることを特徴とする情報再生装置。
【請求項１７】
情報記録媒体の記録面に出射光を照射する光源と、前記出射光の光強度を略正弦波形状に変化させるように前記光源を制御する光強度制御手段と、前記出射光の光路上に配置され、入射される前記出射光の透過量を変更するフィルタと、前記出射光の透過量を変更するように前記フィルタを制御するフィルタ制御手段と、前記情報記録媒体にデータを記録する記録手段とを備える情報記録装置に備えられたコンピュータを制御する記録制御用のコンピュータプログラムであって、該コンピュータを、前記光強度制御手段及び前記フィルタ制御手段の少なくとも一部として機能させることを特徴とするコンピュータプログラム。
【請求項１８】
情報記録媒体の記録面に出射光を照射する光源と、前記出射光の光強度を略正弦波形状に変化させるように前記光源を制御する光強度制御手段と、前記出射光の光路上に配置され、入射される前記出射光の透過量を変更するフィルタと、前記出射光の透過量を変更するように前記フィルタを制御するフィルタ制御手段と、前記情報記録媒体に記録されたデータを再生する再生手段とを備える情報再生装置に備えられたコンピュータを制御する再生制御用のコンピュータプログラムであって、該コンピュータを、前記光強度制御手段及び前記フィルタ制御手段の少なくとも一部として機能させることを特徴とするコンピュータプログラム。
【発明の詳細な説明】
【技術分野】
【０００１】
本発明は、光ディスク等の情報記録媒体に対するデータの記録及び再生に用いる光ピックアップ装置、光ピックアップ装置における出射光の照射方法、該光ピックアップ装置を備える情報記録装置及び情報再生装置、並びにコンピュータをこのような情報記録装置又は情報再生装置として動作させるコンピュータプログラムに関する。
【背景技術】
【０００２】
従来からＣＤ（Compact Disc）やＤＶＤ（Digital Versatile Disc）等の光ディスクに対するデータの記録及び再生を行う情報記録再生装置においては、ユーザの利便性を向上させ、或いは、他製品との差別化を図る観点からＤＶＤ−Ｒ等の光ディスクに対するデータの記録スピードの向上が図られている。【０００３】
ここで、ＤＶＤ−Ｒ或いはＤＶＤ−ＲＷ等の光ディスクは、或る単位時間あたりに照射されるレーザ光のエネルギー総量が所定の閾値を越えた場合、或いは、光ディスク上における温度が一定の値以上になった場合に色素の熱分解或いは相変化を生じ、これにより各種データが記録される構成となっている。このため、記録スピードを向上させるべく光ディスクの回転速度を上昇させると光ディスクに照射されるレーザ光のエネルギー量（即ち、レーザ光のパワー）を増加させなければデータを記録させることができなくなる。従って、記録スピードの向上を実現するためには、光源から出力されるレーザ光のパワーを増加させることが不可欠となる。
【発明の開示】
【発明が解決しようとする課題】
【０００４】
しかしながら、光源から出力されるレーザ光のパワーを増加させるためには、レーザ光を出力するレーザ素子を駆動するためのレーザドライブ回路の駆動電流を大幅に増加させる必要がある。例えば、光ディスクの一具体例であるＤＶＤであれば、例えば３００ｍＷ程度のパワーでレーザ光を出力するために、例えば８００ｍＡ程度の駆動電流をレーザドライブ回路からレーザ素子に供給する必要がある。更なる記録スピードの向上を実現するためには、例えば３００ｍＷよりも大きなパワーでレーザ光を出力することも必要とされ、例えば８００ｍＡ以上の大きな駆動電流をレーザドライブ回路からレーザ素子に供給する必要も出てくる。【０００５】
更に、記録スピードの増加に伴って、レーザ光のパルス幅も減少しており、例えばＤＶＤの１６倍速記録であれば、概ね１ｎｓから３０ｎｓのオーダーのパルス幅を有する厳密な方形波形状のレーザ光を出力する必要がある。【０００６】
しかしながら、例えば８００ｍＡを超えるような大きな駆動電流を用いて概ね１ｎｓ程度の短いパルス幅を有する厳密な方形波形状のレーザ光を出力することは、現在のレーザドライブ回路の動作としては困難であるという技術的な問題点を有している。更には、例えば８００ｍＡを超えるような大きな駆動電流を用いて概ね１ｎｓ程度の短いパルス幅を有する厳密な方形波形状のレーザ光を出力する場合には、レーザドライブ回路の発熱量も大幅に増加してしまうという技術的な問題点を有している。【０００７】
本発明は、例えば上述した従来の問題点に鑑みなされたものであり、例えば放熱を抑制しながら好適な記録動作等を行うことを可能とならしめる光ピックアップ装置、出射光の照射方法、情報記録装置及び情報再生装置、並びにコンピュータプログラムを提供することを課題とする。
【課題を解決するための手段】
【０００８】
（光ピックアップ装置）
本発明の光ピックアップ装置は、情報記録媒体の記録面に出射光を照射する光源と、前記出射光の光強度を略正弦波形状に変化させるように前記光源を制御する光強度制御手段と、前記出射光の光路上に配置され、入射される前記出射光の透過量を変更するフィルタと、前記出射光の透過量を変更するように前記フィルタを制御するフィルタ制御手段とを備える。【０００９】
本発明の光ピックアップ装置によれば、レーザ素子等を含む光源から出射される出射光が情報記録媒体の記録面に照射される。出射光は、レーザドライブ回路等を含む光強度制御手段の動作により、その光強度が制御される。例えば、情報記録媒体にデータを記録する際には、情報記録媒体の記録面に記録マークないしは記録ピットを形成できる相対的に強い（或いは、相対的に大きい）第１の光強度で、光源から出射光が出射される。或いは、例えば情報記録媒体に記録されているデータを再生する際には、情報記録媒体の記録面に形成されている記録マークないしは記録ピットを破壊ないしは消去しない程度の相対的に弱い（或いは、相対的に小さい）第２の光強度で、光源から出射光が出射される。【００１０】
本発明では特に、光強度制御手段の動作により、出射光の光強度が略正弦波形状に変化するように、出射光の光強度が制御される。ここに「略正弦波形状に変化させる」とは、厳密な方形波の形状で光強度を変化させる場合と比較して、光強度が緩やかに変化させる状態を示す趣旨である。即ち、光強度制御手段の動作により、光強度を相対的に緩やかに増加させ且つ相対的に緩やかに減少させる状態を示す趣旨である。【００１１】
そして、光源から出射された出射光は、フィルタに入射した後に、情報記録媒体の記録面に照射される。フィルタは、当該フィルタに入射する出射光の透過量を増減させることができる。どれだけの出射光を透過させるかは、フィルタ制御手段の動作により制御される。即ち、フィルタの透過量は、フィルタ制御手段の動作により制御される。本発明では、フィルタ制御手段は、フィルタの透過量が略方形波状に変化するように、フィルタの透過量を変更する。【００１２】
まとめると、本発明に係る光ピックアップ装置によれば、略正弦波形状に変化する光強度で出射された出射光が、フィルタを透過することによって、方形波形状に変化する光強度で情報記録媒体の記録面に照射される。言い換えれば、光源から出射光を照射する時点で出射光の光強度を厳密な方形波形状に変化させる必要はない。このため、光強度変化手段は、発熱量を抑えつつ出射光の光強度を変化させることができる。そして、略正弦波形状の変化する光強度で出射光が光源から出射されたとしても、フィルタ及びフィルタ制御手段の動作により、出射光は、方形波形状に変化する光強度で情報記録媒体の記録面に照射される。このため、情報記録媒体の記録面に好適な記録マークないしは記録ピットを形成することができ、その結果、好適にデータを記録することができる。【００１３】
以上の結果、本発明の光ピックアップ装置によれば、放熱を抑制しながら、好適な記録動作を行うことができる。【００１４】
本発明の光ピックアップ装置の一の態様は、前記フィルタ制御手段は、前記情報記録媒体に記録されるデータに応じて前記フィルタの透過量を変更するように前記フィルタを制御する。【００１５】
この態様によれば、記録されるデータに応じて、出射光は、方形波形状に変化する光強度で情報記録媒体の記録面に照射される。このため、情報記録媒体の記録面に好適な記録マークないしは記録ピットを形成することができ、その結果、好適にデータを記録することができる。従って、放熱を抑制しながら、好適な記録動作を行うことができる。【００１６】
本発明の光ピックアップ装置の他の態様は、前記フィルタ制御手段は、前記情報記録媒体に記録されるデータに応じたストラテジパルスに応じて前記フィルタの透過量を変更するように前記フィルタを制御する。【００１７】
この態様によれば、ストラテジパルスに応じて、出射光は、方形波形状に変化する光強度で情報記録媒体の記録面に照射される。言い換えれば、通常は、ストラテジパルスに応じて方形波形状に変化する光強度で光源から出射光が出射されるが、この態様では、ストラテジパルスに応じて方形波形状に変化する光強度で出射光がフィルタを透過するように、フィルタの透過量が変更される。このため、光源から出射光を照射する時点で出射光の光強度を厳密な方形波形状で変化させなくとも、方形波形状に変化する光強度で光源から出射光が出射される場合と同様に、出射光は、方形波形状に変化する光強度で情報記録媒体の記録面に照射される。このため、情報記録媒体の記録面に好適な記録マークないしは記録ピットを形成することができ、その結果、好適にデータを記録することができる。従って、放熱を抑制しながら、好適な記録動作を行うことができる。【００１８】
上述の如くストラテジパルスに応じてフィルタの透過量を変更する光ピックアップ装置の態様では、前記ストラテジパルスは、所定の第１振幅を有する第１パルスと前記第１振幅よりも小さい第２振幅を有する第２パルスとを少なくとも含んでおり、前記フィルタ制御手段は、前記第１パルスに応じた前記フィルタの透過量が、前記第２パルスに応じた前記フィルタの透過量よりも増加するように前記フィルタを制御するように構成してもよい。【００１９】
このように構成すれば、ストラテジパルスに応じて、好適にフィルタの透過量を変更することができる。具体的には、ストラテジパルスの振幅に応じて、フィルタの透過量を変更することができる。このため、情報記録媒体の記録面に好適な記録マークないしは記録ピットを形成することができ、その結果、好適にデータを記録することができる。従って、放熱を抑制しながら、好適な記録動作を行うことができる。【００２０】
本発明の光ピックアップ装置の他の態様は、前記光強度制御手段は、前記情報記録媒体に記録されるデータに応じて前記出射光の光強度を変化させるように前記光源を制御する。【００２１】
この態様によれば、記録されるデータに応じて、略正弦波形状に変化する光強度の出射光が光源から照射される。【００２２】
本発明の光ピックアップ装置の他の態様は、前記光強度制御手段は、前記情報記録媒体に記録されるデータに応じたストラテジパルスに応じて前記出射光の光強度を変化させるように前記光源を制御する。【００２３】
この態様によれば、ストラテジパルスに応じて、略正弦波形状に変化する光強度の出射光が光源から照射される。言い換えれば、通常は、ストラテジパルスに応じて方形波形状に変化する光強度で光源から出射光が出射されるが、この態様では、ストラテジパルスに応じて略正弦波形状に変化する光強度で光源から出射光が出射される。【００２４】
上述の如くストラテジパルスに応じて出射光の光強度を変化させる光ピックアップ装置の態様では、前記ストラテジパルスは、所定の第１振幅を有する第１パルスと前記第１振幅よりも小さい第２振幅を有する第２パルスとを少なくとも含んでおり、前記光強度制御手段は、前記第１パルスに応じた前記出射光の光強度が、前記第２パルスに応じた前記出射光の光強度よりも大きくなるように前記光源を制御するように構成してもよい。【００２５】
このように構成すれば、光源から出射される出射光の光強度は、ストラテジパルスに応じて方形波形状に変化しなくとも、方形波形状と概ね同様の傾向で変化する略正弦波形状に変化する。【００２６】
本発明の光ピックアップ装置の他の態様は、前記出射光の光強度の増減における立ち上がり及び立ち下がりの夫々の位相と、前記フィルタの透過量の変更における立ち上がり及び立ち下がりの夫々の位相とを同期させる同期手段を更に備える。【００２７】
この態様によれば、出射光の光強度の増減における立ち上がり（即ち、光強度が増加していく期間）の位相と、フィルタの透過量の変更における立ち上がり（即ち、フィルタの透過量が増加していく期間）の位相とを同期させることができる。また、出射光の光強度の増減における立ち下がり（即ち、光強度が減少していく期間）の位相と、フィルタの透過量の変更における立ち下がり（即ち、フィルタの透過量が減少していく機関）の位相とを同期させることができる。フィルタにおける出射光の不必要な遮断や不必要な透過が生ずる事態を減少ないしはなくすことができる。【００２８】
上述の如く同期手段を更に備える光ピックアップ装置の態様では、前記フィルタを透過した前記出射光の光強度をモニタリングするモニタリング手段を更に備え、前記同期手段は、モニタリングされた光強度の積分値と所定の基準値とを比較することで、前記位相を同期させるように構成してもよい。【００２９】
このように構成すれば、モニタリングされた光強度の積分値と基準値とを比較することで、出射光の光強度の増減における立ち上がり及び立ち下がりの夫々の位相と、フィルタの透過量の変更における立ち上がり及び立ち下がりの夫々の位相とを、比較的容易に同期させることができる。【００３０】
上述の如くモニタリング手段を更に備える光ピックアップ装置の態様では、時間ｔにおける前記出射光の光強度の積分値をＶ（ｔ）とすると、前記同期手段は、Ｖ（ｔ＋Δｔ）―Ｖ（ｔ）が０又は最大値をとるように前記位相を同期させるように構成してもよい。【００３１】
フィルタを透過した後の出射光の光強度は、方形波形状に変化するため、フィルタを透過した後の出射光は、そのパルスがＯＮ状態にあるか又はそのパルスがＯＦＦ状態にあるかの２つの状態となりえる。従って、このように構成すれば、相前後する時間帯にモニタリングされた光強度の積分値を比較することで、出射光の光強度の増減における立ち上がり及び立ち下がりの夫々の位相と、フィルタの透過量の変更における立ち上がり及び立ち下がりの夫々の位相とを、比較的容易に同期させることができる。尚、モニタリングされた光強度の積分値を基準値と比較する動作は、モニタリングされる光強度の積分値が０又は最大値をとるか否かを判定する動作と同等である。【００３２】
本発明の光ピックアップ装置の他の態様は、前記フィルタは、印加される電圧の値により吸収波長が変化する吸光層と、前記吸光層に対して前記電圧を印加する電極とを備えており、前記フィルタ制御手段は、前記電極に対して印加する前記電圧の値を変更することで、前記フィルタの透過量を変更するように前記フィルタを制御する。【００３３】
この態様によれば、吸光層に印加される電圧を変更することで、フィルタの透過量を増減させることができる。【００３４】
本発明の光ピックアップ装置の他の態様は、前記フィルタは、印加される電圧の値により分子配列が変化する液晶素子を含む液晶層と、前記液晶層に対して前記電圧を印加する電極とを備えており、前記フィルタ制御手段は、前記電極に対して印加する前記電圧の値を変更することで、前記フィルタの透過量を変更するように前記フィルタを制御する。【００３５】
この態様によれば、液晶層に印加される電圧を変更することで、フィルタの透過量を増減させることができる。【００３６】
本発明の光ピックアップ装置の他の態様は、前記フィルタは、前記出射光の光路に対して予め定められた角度を持って配置されている。【００３７】
この態様によれば、フィルタに入射する出射光が、フィルタ内で反射されることで生成され得る迷光の生成要因を好適に排除することができる。【００３８】
（照射方法）
本発明の照射方法は、情報記録媒体の記録面に出射光を照射する光源と、前記出射光の光路上に配置され、入射される前記出射光の透過量を変更するフィルタとを備える光ピックアップ装置における前記出射光の照射方法であって、前記出射光の光強度を略正弦波形状に変化させるように前記光源を制御する光強度制御工程と、前記出射光の透過量を変更するように前記フィルタを制御するフィルタ制御工程とを備える。【００３９】
本発明の照射方法によれば、上述した本発明の光ピックアップ装置が享受する利益と同様の利益を享受することができる。【００４０】
尚、上述した本発明の光ピックアップ装置における各種態様に対応して、本発明の照射方法も各種態様を採ることが可能である。【００４１】
（情報記録装置）
本発明の情報記録装置は、情報記録媒体の記録面に出射光を照射する光源と、前記出射光の光強度を略正弦波形状に変化させるように前記光源を制御する光強度制御手段と、前記出射光の光路上に配置され、入射される前記出射光の透過量を変更するフィルタと、前記出射光の透過量を変更するように前記フィルタを制御するフィルタ制御手段と、前記情報記録媒体にデータを記録する記録手段とを備える。即ち、本発明の情報記録装置は、上述した本発明の光ピックアップ装置（但し、その各種態様を含む）と、前記情報記録媒体にデータを記録する記録手段とを備える。【００４２】
本発明の情報記録装置によれば、上述した本発明の光ピックアップ装置が享受する利益と同様の利益を享受しつつ、情報記録媒体にデータを記録することができる。【００４３】
尚、上述した本発明の光ピックアップ装置における各種態様に対応して、本発明の情報記録装置も各種態様を採ることが可能である。【００４４】
（情報再生装置）
本発明の情報再生装置は、情報記録媒体の記録面に出射光を照射する光源と、前記出射光の光強度を略正弦波形状に変化させるように前記光源を制御する光強度制御手段と、前記出射光の光路上に配置され、入射される前記出射光の透過量を変更するフィルタと、前記出射光の透過量を変更するように前記フィルタを制御するフィルタ制御手段と、前記情報記録媒体に記録されたデータを再生する再生手段とを備える。即ち、本発明の情報記録装置は、上述した本発明の光ピックアップ装置（但し、その各種態様を含む）と、前記情報記録媒体に記録されたデータを再生する再生手段とを備える。【００４５】
本発明の情報再生装置によれば、上述した本発明の光ピックアップ装置が享受する利益と同様の利益を享受しつつ、情報記録媒体に記録されたデータを再生することができる。【００４６】
尚、上述した本発明の光ピックアップ装置における各種態様に対応して、本発明の情報再生装置も各種態様を採ることが可能である。【００４７】
（コンピュータプログラム）
本発明の第１コンピュータプログラムは、上述した本発明の情報記録装置（但し、その各種態様を含む）に備えられたコンピュータを制御する記録制御用のコンピュータプログラムであって、該コンピュータを、前記光強度制御手段及び前記フィルタ制御手段の少なくとも一部として機能させる。【００４８】
本発明の第２コンピュータプログラムは、上述した本発明の情報再生装置（但し、その各種態様を含む）に備えられたコンピュータを制御する再生制御用のコンピュータプログラムであって、該コンピュータを、前記光強度制御手段及び前記フィルタ制御手段の少なくとも一部として機能させる。【００４９】
本発明に係る各コンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置又は情報再生装置を比較的簡単に実現できる。【００５０】
尚、上述した本発明の情報記録装置又は情報再生装置における各種態様に対応して、本発明の各コンピュータプログラムも各種態様を採ることが可能である。【００５１】
上記課題を解決するために、コンピュータ読取可能な媒体内の第１コンピュータプログラム製品は、上述した本発明の情報記録装置（但し、その各種態様を含む）に備えられたコンピュータにより実行可能なプログラム命令を明白に具現化し、該コンピュータを、前記光強度制御手段及び前記フィルタ制御手段の少なくとも一部として機能させる。【００５２】
上記課題を解決するために、コンピュータ読取可能な媒体内の第２コンピュータプログラム製品は、上述した本発明の情報再生装置（但し、その各種態様を含む）に備えられたコンピュータにより実行可能なプログラム命令を明白に具現化し、該コンピュータを、前記光強度制御手段及び前記フィルタ制御手段の少なくとも一部として機能させる。【００５３】
本発明の第１又は第２コンピュータプログラム製品によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の情報記録装置又は情報再生装置を比較的容易に実施可能となる。更に具体的には、当該コンピュータプログラム製品は、上述した本発明の情報記録装置又は情報再生装置として機能させるコンピュータ読取可能なコード（或いはコンピュータ読取可能な命令）から構成されてよい。【００５４】
本発明のこのような作用及び他の利得は次に説明する実施例から更に明らかにされよう。【００５５】
以上説明したように、本発明の光ピックアップ装置によれば、光源と、光強度制御手段と、フィルタと、フィルタ制御手段とを備える。従って、放熱を抑制しながら好適な記録動作及び再生動作を行うことができる。【００５６】
本発明の照射方法によれば、光強度制御工程と、フィルタ制御工程とを備える。従って、放熱を抑制しながら好適な記録動作及び再生動作を行うことができる。【００５７】
本発明の情報記録装置によれば、光源と、光強度制御手段と、フィルタと、フィルタ制御手段と、記録手段とを備える。従って、放熱を抑制しながら、好適な記録動作を行うことができる。【００５８】
本発明の情報再生装置によれば、光源と、光強度制御手段と、フィルタと、フィルタ制御手段と、再生手段とを備える。従って、放熱を抑制しながら、好適な再生動作を行うことができる。
【図面の簡単な説明】
【００５９】
【図１】第１実施例に係る情報記録再生装置の基本構成を概念的に示すブロック図である。
【図２】フィルタの第１の具体例を概念的に示す断面図である。
【図３】フィルタの第２の具体例を概念的に示す断面図である。
【図４】フィルタの第３の具体例を概念的に示す断面図である。
【図５】記録信号（記録データ）に応じた記録ストラテジの波形、レーザダイオードから照射される光ビームの光強度、フィルタの透過量、及び光ディスクに照射される光ビームの光強度の夫々の、時間軸に沿った変化の様子を概念的に示すグラフである。
【図６】光ビームのオーバーシュート及びアンダーシュートを示す波形図である。
【図７】第２実施例に係る情報記録再生装置の基本構成を概念的に示すブロック図である。
【図８】フィルタの透過量を変化させるタイミングをずらさない場合の、レーザダイオードから照射される光ビームの光強度、フィルタの透過量、及び光ディスクに照射される光ビームの光強度の夫々の、時間軸に沿った変化の様子を概念的に示すグラフである。
【図９】フィルタの透過量を変化させるタイミングをずらした場合の、レーザダイオードから照射される光ビームの光強度、フィルタの透過量、及び光ディスクに照射される光ビームの光強度の夫々の、時間軸に沿った変化の様子を概念的に示すグラフである。
【符号の説明】
【００６０】
１、２  情報記録再生装置
１０、１０ａ  光ピックアップ
１１  レーザダイオード
１２  フロントモニタ
１３  フィルタ
２４  ＣＰＵ
２６  レーザドライブ
２７  フィルタ素子ドライブ回路
３１  積分回路
３２  参照値格納回路
３３  コンパレータ
３４  位相補償サーボ回路
５０  光ディスク
【発明を実施するための最良の形態】
【００６１】
以下、本発明を実施するための最良の形態について実施例毎に順に図面に基づいて説明する。尚、以下の実施例では、本発明の光ピックアップ装置に係る実施例を備える、ＣＤやＤＶＤやＢｌｕ−ｒａｙ  Ｄｉｓｃ等の各種光ディスクに対するデータの記録及び再生を行うことができる情報記録再生装置について説明を進める。【００６２】
（１）  第１実施例
（１−１）  情報記録再生装置の基本構成
初めに、図１を参照して、第１実施例に係る情報記録再生装置の基本構成について説明を進める。ここに、図１は、第１実施例に係る情報記録再生装置の基本構成を概念的に示すブロック図である。【００６３】
図１に示すように、第１実施例に係る情報記録再生装置１は、光ピックアップ１０と、フォトディテクタ（ＰＤ：Photo Detector）用アンプ２１と、再生回路２２と、ＣＰＵ２４と、記録回路２５と、レーザドライブ回路２６と、フィルタ素子ドライブ回路２７と、スピンドルモータ２８とを備える。【００６４】
光ピックアップ１０は、光ディスク５０に対して光ビームを照射し、光ディスク５０に対するデータの記録及び再生を行うために用いられる。かかる機能を実現するため、光ピックアップ１０は、レーザダイオード１１と、フィルタ１３と、ビームスプリッタ１４と、対物レンズ１５と、集光レンズ１６と、フォトディテクタ１７とを備えている。【００６５】
レーザダイオード１１は、本発明における「光源」の一具体例を構成しており、レーザドライブ回路２６から供給される駆動信号に基づき、一種類の又は複数種類の異なる波長の光ビームを照射する。例えば、光ディスク５０の一具体例を構成するＤＶＤに対してデータの記録及び再生を行う際には、レーザダイオード１１は、概ね６６０ｎｍの波長を有する光ビームを照射する。例えば、光ディスク５０の一具体例を構成するＣＤに対してデータの記録及び再生を行う際には、レーザダイオード１１は、概ね７８０ｎｍの波長を有する光ビームを照射する。例えば、光ディスク５０の一具体例を構成するＢｌｕ−ｒａｙ  Ｄｉｓｃに対してデータの記録及び再生を行う際には、レーザダイオード１１は、概ね４０５ｎｍの波長を有する光ビームを照射する。【００６６】
フィルタ１３は、フィルタ素子ドライブ回路２７による制御の下、該フィルタ１３に入射する光ビームの透過量（即ち、該フィルタ１３に入射する光ビームに対する透過率）を変更可能な構成を有している。尚、このフィルタ１３の具体的な構成については、後に詳述する（図２から図４参照）。【００６７】
ビームスプリッタ１４は、レーザダイオード１１の側から入射する光ビームを、光ディスク５０に向かうように９０％だけ反射して且つ１０％だけ透過すると共に、光ディスク５０の側から入射する光ビーム（即ち、光ビームの光ディスク５０からの反射光）をそのまま１００％透過する。【００６８】
対物レンズ１５は、入射する光ビームを集光して、光ディスク５０の記録面上に照射する。【００６９】
集光レンズ１６は、ビームスプリッタ１４においてそのまま透過された光ビーム（すなわち、光ビームの光ディスク５０からの反射光）を集光して、フォトディテクタ１７の受光面上に照射する。【００７０】
フォトディテクタ１７は、例えば、フォトダイオードにより構成され、集光レンズ１６から照射される光ビームを受光して、受光した光ビームのパワーに応じた検出信号を、フォトディテクタ用アンプ２１に出力する。【００７１】
フォトディテクタ用アンプ２１は、フォトディテクタ１７より出力される検出信号から、ＲＦ信号を生成し、該ＲＦ信号を再生回路２２に出力する。【００７２】
再生回路２２は、本発明における「再生手段」の一具体例を構成しており、フォトディテクタ用アンプ２１から出力されるＲＦ信号に対して、復調処理や復号処理や誤り訂正処理やデコード処理等を施して、再生信号を生成する。再生回路２２は、生成した再生信号を外部のディスプレイやスピーカ等に出力し、その結果、光ディスク５０に記録されているデータが、例えば映像コンテンツや音声コンテンツ或いはその他のコンテンツとして再生される。【００７３】
ＣＰＵ２４は、情報記録再生装置１の各構成要素とバスを介して接続され、各構成要素に指示を行うことで、情報記録再生装置１全体の制御を行う。通常、ＣＰＵ２４が動作するためのソフトウェア又はファームウェアは、情報記録再生装置１内のメモリに格納されている。【００７４】
記録回路２５は、本発明における「記録手段」の一具体例を構成しており、光ディスク５０に記録するためのデータとして外部より入力される記録データに対して、誤り訂正符号付加処理や変調処理や暗号化処理やエンコード処理等を施して、記録信号を生成する。生成された記録信号は、レーザドライブ回路２６に出力される。【００７５】
レーザドライブ回路２６は、ＣＰＵ２４の制御を受けることによって本発明の「光強度制御手段」の一具体例を構成しており、レーザダイオード１１の動作を制御するための駆動信号をレーザダイオード１１に対して出力する。より具体的には、レーザドライブ回路２６は、光ディスク５０に対してデータを記録する際には、書き込み光として所定のパワーで、或いはＣＰＵ２４から出力されるパワーの値に応じたパワー（以下、「記録パワー」という）で、且つ記録回路２５より出力される記録信号に応じた変調を施しながら光ビームが照射されるような駆動信号を生成し、レーザダイオード１１に出力する。或いは、レーザドライブ回路２６は、光ディスク５０に記録されたデータを再生する際には、読み取り光として所定のパワーで、或いはＣＰＵ２４から出力されるパワーの値に応じたパワーで（以下、「再生パワー」という）光ビームが照射されるような駆動信号を生成し、レーザダイオード１１に出力する。【００７６】
フィルタ素子ドライブ回路２７は、ＣＰＵ２４の制御を受けることによって本発明の「フィルタ制御手段」の一具体例を構成しており、フィルタ１３に入射する光ビームの透過量の変更を制御可能に構成されている。【００７７】
スピンドルモータ２８は、光ディスク５０を回転及び停止させるもので、光ディスク５０へのアクセス時に動作する。より詳細には、スピンドルモータ２８は、図示しないサーボユニット等によりスピンドルサーボを受けつつ所定速度で光ディスク５０を回転及び停止させるように構成されている。【００７８】
以上のような構成を有する情報記録再生装置１においては、レーザダイオード１１から照射される光ビームは、フィルタ１３に入射する。この際、レーザダイオード１１から照射される光ビームはフィルタ１３により透過量が制御された後、ビームスプリッタ１４において反射されて、対物レンズ１５に入射され、光ディスク５０上に集光される。このようにして、光ディスク５０上に光ビームが集光されると、当該光ビームは、光ディスク５０において反射された後、再度、対物レンズ１５を介してビームスプリッタ１４に入射し、ビームスプリッタ１４を透過する。その後、集光レンズ１６に入射し、集光レンズ１６によりフォトディテクタ１７上に集光される。この結果、フォトディテクタ１７から受光信号がフォトディテクタ用アンプ２１に出力され、且つフォトディテクタ用アンプ２１からＲＦ信号が再生回路２２に出力される。【００７９】
また、フォトディテクタ１７からＲＦ信号が出力されると、ＣＰＵ２４は、光ディスク５０に記録されているデータの再生時には、当該ＲＦ信号に対応するデータを再生するように再生回路２２を制御し、再生回路２２は、当該データを外部に出力する。これに対して、光ディスク５０に対するデータの記録時には、ＣＰＵ２４は、例えば、光ディスク５０上のアドレス取得や記録すべきデータに対応した駆動信号の出力タイミングをこのＲＦ信号に基づいて決定する。【００８０】
（１−２）  フィルタの基本構成
続いて、図２から図４を参照して、フィルタ１３の具体的構成について説明を進める。ここに、図２は、フィルタ１３の第１の具体例を概念的に示す断面図であり、図３は、フィルタ１３の第２の具体例を概念的に示す断面図であり、図４は、フィルタ１３の第３の具体例を概念的に示す断面図である。【００８１】
まず、本実施例においてフィルタ１３は、例えば、ＥＣ（Electrochromic）材料と呼ばれる材料を利用して構成することができる。このＥＣ材料は、印加電圧により可逆的に吸収波長が変化するエレクトロクロイズム現象を起こす材料であり、印加電圧により透明な状態から所定周波数の光線のみを吸光して各色を呈した状態に変化する特性を有している。このＥＣ材料としては、無機系、有機系の２系統が存在し、無機系ＥＣ材料としては、例えば、電気吸光反応を利用したＷＯ３（三酸化タングステン）、ＭｏＯ３（三酸化モリブデン）等のカソードＥＣ（還元により着色）や、プルシアンブルー（KxFeyFez(CN)6）、Ｎｉ（ＯＨ）n等のアノーディックＥＣ（酸化により着色）があり、有機ＥＣ材料としては、有機ＥＬ（Electro Luminescent）材料として用いられる、ポリフェナザシリン等の機能性高分子がある。【００８２】
図２に示すように、フィルタ１３の第１の具体例（以下、「フィルタ１３ａ」という）は、例えばＳｉＯ２（酸化珪素）のような透過性の高い基材により構成される基板１０１を備える。この基板１０１上には透明電極１０２が形成され、この透明電極１０２上にゾル・ゲル法或いは引き上げ法、蒸着等の方法による製膜後、焼成を行うことによりＥＣ層１０３が形成される。また、このＥＣ層１０３上には、更に透明電極１０４が積層される。この結果、透明電極１０２と透明電極１０４の間にＥＣ層１０３がサンドイッチされた状態にて形成されることとなる。透明電極１０２及び透明電飾１０４は、夫々、フィルタ素子ドライブ回路２７内に設けられている電源と接続されており、フィルタ素子ドライブ回路２７は、透明電極１０２と透明電極１０４との間に所定の電圧を印加することにより、ＥＣ層１０３における吸光特性（例えば、吸収波長）を可逆的に変更させることとなる。つまり、フィルタ１３ａに入射する光ビームの透過量を可逆的に変更させることとなる。【００８３】
なお、ＥＣ材料における吸光度は、利用する材料によって異なるため、具体的にフィルタ１３ａを設計するに際しては、レーザダイオード１１より照射される光ビームのパワーを、当該フィルタ１３ａを透過させることでどれだけ減少させるかに応じて、ＥＣ層１０３の厚さや、ＥＣ層１０３に用いられるＥＣ材料や、ＥＣ層１０３に印加される電圧の大きさ等を決定することが好ましい。【００８４】
次に、有機ＥＣ材料を用いた場合、図３に示すように、フィルタ１３の第２の具体例（以下、「フィルタ１３ｂ」という）は、２枚の透明基板１１１及び透明基板１１４を間隙を持って張り合わせ、透明基板１１１と透明基板１１４との間に有機ＥＣ材料から構成されるＥＣ層１１３を充填して構成される。透明基板１１１と透明基板１１４との夫々の対向面上には、透明電極１１２及び透明電極１１５が形成されている。透明電極１１２及び透明電極１１５の夫々は、フィルタ素子ドライブ回路２７内に設けられている電源と接続されており、フィルタ素子ドライブ回路２７は、透明電極１１２と透明電極１１５との間に所定の電圧を印加することにより、ＥＣ層１１３における吸光特性を可逆的に変化させることとなる。つまり、フィルタ１３ｂに入射する光ビームの透過量を可逆的に変更させることとなる。
なお、この場合においてもＥＣ層１１３の厚さや印加電圧値等を適宜設計する必要があることは、上記無機ＥＣ材料から構成されるＥＣ層１０３と同様である。【００８５】
また、ＥＣ材料を用いることに加えて又は代えて、コレスティック液晶等の液晶材料を用いて、フィルタ１３を構成することもできる。コレスティック液晶は、印加される電圧の大きさや温度に応じてその透過率を変更することができる。具体的には、図４に示すように、フィルタ１３の第３の具体例（以下、「フィルタ１３ｃ」という）は、２枚の透明基板１２１及び透明基板１２４を間隙を持って張り合わせ、透明基板１２１と透明基板１２４との間に液晶材料から構成される液晶層１２３を充填して構成される。透明基板１２１と透明基板１２４との夫々の対向面上には、透明電極１２２及び透明電極１２５が形成されている。透明電極１２２及び透明電極１２５の夫々は、フィルタ素子ドライブ回路２７内に設けられている電源と接続されており、フィルタ素子ドライブ回路２７は、透明電極１２２と透明電極１２５との間に所定の電圧を印加することにより、液晶層１２３を構成している液晶材料中に含まれる液晶分子の配列特性を可逆的に変化させることとなる。つまり、フィルタ１３ｃに入射する光ビームの透過量を可逆的に変更させることとなる。なお、この場合においても液晶層１２３の厚さや印加電圧値等を適宜設計する必要があることは、上記無機ＥＣ材料から構成されるＥＣ層１０３や有機ＥＣ材料から構成されるＥＣ層１１３と同様である。【００８６】
また、上述した無機ＥＣ材料や有機ＥＣ材料やこれスティック液晶等の液晶材料を用いることに加えて又は代えて、フォトポリマーや、フォトリリフラクティブ液晶や、異性化材料や、蛍光色素を用いて、上述したフィルタ１３を構成することもできる。【００８７】
そして、上述したフィルタ１３は、透過量の変化をピコ秒のオーダーで或いはフェムト秒のオーダーで行うことができる材料を用いることが好ましい。つまり、透過量が低い状態から高い状態への切り替え、或いは透過量が高い状態から低い状態への切り替えを、ピコ秒のオーダーで或いはフェムト秒のオーダーで行うことができる材料を用いてフィルタ１３を構成することが好ましい。但し、透過量が低い状態から高い状態への切り替え、或いは透過量が高い状態から低い状態への切り替えを、ナノ秒のオーダーで行うことができる材料を用いてフィルタ１３を構成してもよい。【００８８】
（１−３）  情報記録再生装置の動作原理
続いて、図５及び図６を参照して、第１実施例に係る情報記録再生装置の動作原理について説明する。ここに、図５は、記録信号（記録データ）に応じた記録ストラテジの波形、レーザダイオード１１から照射される光ビームの光強度、フィルタ１３の透過量、及び光ディスク５０に照射される光ビームの光強度の夫々の、時間軸に沿った変化の様子を概念的に示すグラフであり、図６は、光ビームのオーバーシュート及びアンダーシュートを概念的に示す波形図である。【００８９】
以下の動作原理の説明においては、記録回路２５からレーザドライブ回路２６に出力される記録信号によれば、図５（ａ）に示す波形で光強度が変化する光ビームを照射することで、光ディスク５０にデータを記録することが要求されているものと仮定して説明を進める。言い換えれば、図５（ａ）に示す波形で変化する光強度での光ビームの照射を実現可能な、図５（ａ）に示す波形と概ね同様の波形を有するストラテジパルスに応じて光ビームを照射することが必要とされているものと仮定して説明を進める。【００９０】
この場合、レーザドライブ回路２６は、図５（ｂ）に示す光強度で変化するような光ビームを照射するように、レーザダイオード１１を駆動する。より具体的には、レーザドライブ回路２６は、図５（ａ）に示す波形の立ち上がり及び立ち下がりのタイミングないしは位相を概ね同一としつつも、図５（ａ）に示す厳密な方形波形状の波形よりも緩やかに立ち上がり且つ緩やかに立ち下がるような態様で光ビームの光強度が変化するように、レーザダイオード１１を駆動する。より具体的には、レーザドライブ回路２６は、図５（ｂ）に示す略正弦波形状の波形で光強度が変化するように、レーザダイオード１１を駆動する。図５（ａ）に示す波形の振幅が相対的に大きい期間には、レーザドライブ回路２６は、光ビームの光強度が相対的に大きくなるようにレーザダイオード１１を駆動する。他方、図５（ａ）に示す波形の振幅が相対的に小さい期間には、レーザドライブ回路２６は、光ビームの光強度が相対的に小さくなるようにレーザダイオード１１を駆動する。【００９１】
図５（ｂ）に示す光ビームの光強度の変化に対して、フィルタ制御回路２７は、図５（ａ）に示す波形と同一の或いは概ね同一の波形で透過量が変化するように、フィルタ１３に対して、例えば所定の電圧を印加する。より具体的には、フィルタ制御回路２７は、フィルタ１３を透過した後の光ビームの光強度が、図５（ａ）に示す波形で変化するように、フィルタ１３に対して印加する電圧を調整することで、フィルタ１３の透過量を制御する。つまり、図５（ａ）に示す波形の振幅が相対的に大きい期間には、フィルタ素子ドライブ回路２７は、フィルタ１３の透過量が相対的に大きくなるように所定の電圧をフィルタ１３に印加する。他方、図５（ａ）に示す波形の振幅が相対的に小さい期間には、フィルタ素子ドライブ回路２７は、フィルタ１３の透過量が相対的に小さくなるように所定の電圧をフィルタ１３に印加する。【００９２】
その結果、図５（ｂ）に示す波形で光強度が変化するようにレーザダイオード１１から照射された光ビームは、図５（ｃ）に示す波形で透過量が変化するフィルタ１３を透過することによって、図５（ｄ）に示す波形で光強度が変化しながら光ディスク５０に照射される。【００９３】
このように、第１実施例によれば、レーザドライブ回路２６は、図５（ａ）に示す厳密な方形波の形状で光強度を変化させるようにレーザダイオード１１を駆動する必要がなくなる。より具体的には、光強度が急激にないしは瞬間的に増加し且つ光強度が急激にないしは瞬間的に減少するような方形波の形状で光強度を変化させるようにレーザダイオード１１を駆動する必要がない。その結果、相対的に緩やかに光強度が増加し且つ相対的に緩やかに光強度が減少するような略正弦波の形状で光強度を変化させるようにレーザダイオード１１を駆動すればよい。つまり、レーザドライブ回路２６は、パルス幅が相対的に短い（即ち、高速で且つ急激にＯＮ／ＯＦＦする）方形波の光ビームを照射するようにレーザダイオード１１を駆動する必要がなくなるため、レーザダイオード１１を好適に駆動することができる。更に、レーザドライブ回路２６がレーザダイオード１１を駆動することで発生する熱量を、相対的に減少させることができる。【００９４】
そして、厳密な方形波で光強度を変化させるようにレーザダイオード１１を駆動しなくとも、図５（ｃ）に示す波形で透過量が変化するフィルタ１３を光ビームが透過することで、厳密な方形波で光強度を変化させるようにレーザダイオード１１を駆動した場合と同様の光ビームを、光ディスク５０に照射することができる。これにより、光ディスク５０にデータを好適に記録することができる。【００９５】
加えて、フィルタ１３を用いることにより、いわば光学的に光ビームの光強度を変化させることができるため、レーザドライブ回路２６により光ビームの光強度を変化させる場合と比較して、光ビームの波形をより高精度に制御することができる。【００９６】
更に、透過量が低い状態から高い状態への切り替え、或いは透過量が高い状態から低い状態への切り替えを、ピコ秒のオーダーで或いはフェムト秒のオーダーで行うことができるフィルタ１３を用いれば、将来の記録スピードの増加によっても、きわめて短いパルス幅を有する光ビームを、光ディスク５０に好適に照射することができる。【００９７】
エラー! ハイパーリンクの参照に誤りがあります。エラー! ハイパーリンクの参照に誤りがあります。  更には、光学的に光ビームの光強度を変化させることができるため、図６に示すような光ビームのオーバーシュートやアンダーシュートの発生をも抑制することができる。このため、オーバーシュートないしはアンダーシュートを発生させる要因となるレーザダイオード１１のパラメータのばらつきの許容範囲を相対的に拡大することができる。これにより、レーザダイオード１１の設計の幅（例えば、材料の選択の幅等）を相対的に広げることができる。加えて、光ディスク５０に照射される光ビームの波形という情報記録再生装置１の特性の均一化を比較的容易に図ることができる。【００９８】
これは特に、光ディスク５０に対するデータの記録スピードが増加する場合に、より有効となる。つまり、光ディスク５０に対するデータの記録スピードが増加すれば、光ビームのパルス幅はどんどん短くなるが、光ビームの波形はフィルタ１３を用いて制御することができるため、レーザドライブ回路２６の負担はそれほど急激には増加しない。従って、記録スピードの増加量によるパルス幅の減少量と比較して、レーザドライブ回路２６の発熱量の増加量を抑制することができる。【００９９】
尚、オーバーシュートやアンダーシュートが発生する場合には、ある一定パワー以上で透過率が“０”になる又はあるパワー以上でも透過率が“０”になるフィルタを用いて、オーバーシュートやアンダーシュートを取り除くことが好ましい。このようなフィルタとして、光アンプや調光ガラス等を用いることができる。【０１００】
尚、上述の第１実施例においては、レーザドライブ回路２６は、光強度が略正弦波形状に変化する光ビームを照射するようにレーザダイオード１１を駆動しているが、均一なないしは一定の光強度を有する光ビームを照射するようにレーザダイオード１１を駆動しても、上述した各種利益を相応に享受することができる。言い換えれば、ＤＣレベルの光強度で光ビームを照射するようにレーザダイオード１１を駆動しても、上述した各種利益を相応に享受することができる。【０１０１】
尚、フィルタ１３を採用する場合、透過ないしは吸光される光ビームの他にフィルタ１３において反射される光ビームも発生し得る。この場合、光ビームの入射軸を法線とする角度にフィルタ１３を設置してしまうと、当該フィルタ１３上にて反射された光ビームが光軸上にて迷光する可能性がある。従って、フィルタ１３は、光ビームの入射軸に対して所定の角度θをもって設置し、フィルタ１３において当該光軸上に反射光が発生しないようにすることが好ましい。【０１０２】
加えて、図５（ｂ）に示す光ビームの光強度の変化における立ち上がり及び立ち下がりの位相（或いは、増減の傾向ないしは光ビームのＯＮ／ＯＦＦのタイミング）と、図５（ｃ）に示すフィルタ１３の透過量の変化における立ち上がり及び立ち下がりの位相（或いは、増減の傾向ないしはフィルタ１３の透過量変化におけるＯＮ／ＯＦＦのタイミング）とを揃えるないしは一致させることが好ましい。この位相を揃えるないしは一致させる態様については、第２実施例においてより詳細に説明する。【０１０３】
（２）  第２実施例
続いて、図７から図９を参照して、第２実施例に係る情報記録再生装置について説明する。ここに、図７は、第２実施例に係る情報記録再生装置の基本構成を概念的に示すブロック図であり、図８は、フィルタ１３の透過量を変化させるタイミングをずらさない場合の、レーザダイオード１１から照射される光ビームの光強度、フィルタ１３の透過量、及び光ディスク５０に照射される光ビームの光強度の夫々の、時間軸に沿った変化の様子を概念的に示すグラフであり、図９は、フィルタ１３の透過量を変化させるタイミングをずらした場合の、レーザダイオード１１から照射される光ビームの光強度、フィルタ１３の透過量、及び光ディスク５０に照射される光ビームの光強度の夫々の、時間軸に沿った変化の様子を概念的に示すグラフである。【０１０４】
尚、第２実施例においては、第１実施例と同様の構成については同一の参照符号を付して、その詳細な説明については省略する。【０１０５】
図７に示すように、第２実施例に係る情報記録再生装置２は、光ピックアップ１０ａと、フォトディテクタ（ＰＤ：Photo Detector）用アンプ２１と、再生回路２２と、ＣＰＵ２４と、記録回路２５と、レーザドライブ回路２６と、フィルタ素子ドライブ回路２７と、スピンドルモータ２８と、積分回路３１と、参照値格納回路３２と、コンパレータ３３と、位相補償サーボ回路３４とを備える。【０１０６】
第２実施例に係る情報記録再生装置２では、光ピックアップ１０ａは、レーザダイオード１１と、フロントモニタ（ＦＭ：Front Monitor）１２と、フィルタ１３と、ビームスプリッタ１４と、対物レンズ１５と、集光レンズ１６と、フォトディテクタ１７とを備えている。【０１０７】
フロントモニタ１２は、本発明の「モニタリング手段」の一具体例を構成しており、例えば受光センサ等を備えており、レーザダイオード１１から照射される光ビームのパワー（即ち、光ビームの光強度値ないしはエネルギー量であって、受光センサ等における受光量に応じた値）を測定可能に構成されている。測定されたパワーは、積分回路３１へ出力される。【０１０８】
また、積分回路３１は、フロントモニタ１２において測定された光ビームのパワーを積分可能に構成されている。積分回路３１において積分された光ビームのパワーは、光ビームの光強度のＤＣ成分を示しており、コンパレータ３３へ出力される。【０１０９】
参照値格納回路３２は、積分回路において積分される光ビームのパワーとの比較の際に参照される参照値を、コンパレータ３３に出力可能に構成されている。参照値の具体例としては、“０”又は光ビームの光強度の最大値を示す“Ｖｍａｘ”が格納されており、これらの参照値をコンパレータ３３へ出力する。【０１１０】
コンパレータ３３は、積分回路３１から出力される光ビームのパワーの積分値と、参照値格納回路３２から出力される参照値を比較し、該比較結果を位相補償サーボ回路３４に出力する。【０１１１】
より具体的には、時刻ｔにおける光ビームの光強度のＤＣ成分（即ち、光ビームの光強度の積分値）をＶ（ｔ）とすると、Ｖ（ｔ＋Δｔ）−Ｖ（ｔ）が、参照値である“０”又は“Ｖｍａｘ”と一致するか否かが比較される。そして、一致するか否かを示す比較結果が位相補償サーボ回路３４へ出力される。この倍、参照値と光ビームの光強度の積分値も、位相補償サーボ回路３４へ出力されるように構成してもよい。【０１１２】
位相補償サーボ回路３４は、コンパレータ３３における比較結果に基づいて、フィルタ１３の透過量を変化させるタイミング（ないしは、位相）を調整する。より具体的には、Ｖ（ｔ＋Δｔ）−Ｖ（ｔ）が、参照値である“０”又は“Ｖｍａｘ”と一致していれば、フィルタ１３の透過量を変化させるタイミングを変化させない。他方、Ｖ（ｔ＋Δｔ）−Ｖ（ｔ）が、参照値である“０”又は“Ｖｍａｘ”と一致していなければ、Ｖ（ｔ＋Δｔ）−Ｖ（ｔ）が、参照値である“０”又は“Ｖｍａｘ”と一致するように、フィルタ１３の透過量を変化させるタイミングを変化させる。フィルタ１３の透過量を変化させるタイミングの変化は、Ｖ（ｔ＋Δｔ）−Ｖ（ｔ）が、参照値である“０”又は“Ｖｍａｘ”とどれだけ誤差を有しているかに応じて行うことが好ましい。【０１１３】
このように、第２実施例に係る情報記録再生装置２によれば、光ビームの光強度の変化における立ち上がり及び立ち下がりの位相（或いは、増減の傾向ないしは光ビームのＯＮ／ＯＦＦのタイミング）と、フィルタ１３の透過量の変化における立ち上がり及び立ち下がりの位相（或いは、増減の傾向ないしはフィルタ１３の透過量変化におけるＯＮ／ＯＦＦのタイミング）とを揃えるないしは一致させることができる。【０１１４】
仮に、第２実施例の如くフィルタ１３の透過量を変化させるタイミングを変化させなければ、図８（ａ）に示すように、光ビームの光強度の変化における立ち上がり及び立ち下がりの位相と、フィルタ１３の透過量の変化における立ち上がり及び立ち下がりの位相とがずれてしまう場合が生じ得る。この場合、光ディスク５０に実際に照射される光ビームの光強度は、図８（ｂ）に示すように、方形波の一部が欠けた不適切な波形で変化することになる。【０１１５】
しかるに、第２実施例によれば、フィルタ１３の透過量を変化させるタイミングを変化させることで、図９（ａ）に示すように、光ビームの光強度の変化における立ち上がり及び立ち下がりの位相と、フィルタ１３の透過量の変化における立ち上がり及び立ち下がりの位相とを揃えるないしは一致させることができる。その結果、光ディスク５０に実際に照射される光ビームの光強度は、図９（ｂ）に示すように、適切な方形波形状で変化する。これにより、第２実施例に係る情報記録再生装置２によれば、上述した各種利益を享受することに加えて、光ディスク５０へのデータの記録の信頼性を相対的に高めることができる。【０１１６】
更に、本実施例にかかる情報記録再生装置２においては、ＣＰＵ２４やレーザドライブ回路２６やフィルタ素子ドライブ回路２７や積分回路３１や参照値格納回路３２やコンパレータ３３や位相補償サーボ回路３４等を、光ピックアップ１０と別体の装置により構成した例について説明したが、これらは光ピックアップ１０と一体的に構成するように、更にはレーザダイオード１１に含めるように構成しても良いことは言うまでもない。【０１１７】
上述の実施例では、情報記録媒体の一例として光ディスク５０及び情報記録装置若しくは情報再生装置の一例として光ディスク５０に係るレコーダ若しくはプレーヤについて説明したが、本発明は、光ディスク及びそのレコーダ若しくはプレーヤに限られるものではなく、他の高密度記録或いは高転送レート対応の各種情報記録媒体並びにそのレコーダ若しくはプレーヤにも適用可能である。【０１１８】
本発明は、上述した実施例に限られるものではなく、請求の範囲及び明細書全体から読み取れる発明の要旨或いは思想に反しない範囲で適宜変更可能であり、そのような変更を伴なう光ピックアップ装置、照射方法、情報記録装置及び情報再生装置、並びにコンピュータプログラムもまた本発明の技術的範囲に含まれるものである。
【産業上の利用可能性】
【０１１９】
本発明に係る光ピックアップ装置、照射方法、情報記録装置及び情報再生装置、並びにコンピュータプログラムは、例えば光ディスク等の情報記録媒体に対するデータの記録及び再生に用いる光ピックアップ装置に利用可能であり、該光ピックアップ装置を備える情報記録装置及び情報再生装置に利用可能である。また、例えば民生用或いは業務用の各種コンピュータ機器に搭載される又は各種コンピュータ機器に接続可能な情報記録装置及び情報再生装置等にも利用可能である。
【図１】
2007052639.tif 000003
【図２】
2007052639.tif 000004
【図３】
2007052639.tif 000005
【図４】
2007052639.tif 000006
【図５】
2007052639.tif 000007
【図６】
2007052639.tif 000008
【図７】
2007052639.tif 000009
【図８】
2007052639.tif 000010
【図９】
2007052639.tif 000011
【手続補正書】
【提出日】平成20年3月17日(2008.3.17)
【手続補正１】
【補正対象書類名】特許請求の範囲
【補正対象項目名】全文
【補正方法】変更
【補正の内容】
【特許請求の範囲】
【請求項１】
情報記録媒体の記録面に出射光を照射する光源と、
前記出射光の光強度を略正弦波形状に変化させるように前記光源を制御する光強度制御手段と、
前記出射光の光路上に配置され、入射される前記出射光の透過量を変更するフィルタと、
前記出射光の透過量を変更するように前記フィルタを制御するフィルタ制御手段と、
前記出射光の光強度の増減における立ち上がり及び立ち下がりの夫々の位相と、前記フィルタの透過量の変更における立ち上がり及び立ち下がりの夫々の位相とを同期させる同期手段と
を備えることを特徴とする光ピックアップ装置。
【請求項２】
前記フィルタ制御手段は、前記情報記録媒体に記録されるデータに応じて前記フィルタの透過量を変更するように前記フィルタを制御することを特徴とする請求の範囲第１項に記載の光ピックアップ装置。
【請求項３】
前記フィルタ制御手段は、前記情報記録媒体に記録されるデータに応じたストラテジパルスに応じて前記フィルタの透過量を変更するように前記フィルタを制御することを特徴とする請求の範囲第１項に記載の光ピックアップ装置。
【請求項４】
前記ストラテジパルスは、所定の第１振幅を有する第１パルスと前記第１振幅よりも小さい第２振幅を有する第２パルスとを少なくとも含んでおり、
前記フィルタ制御手段は、前記第１パルスに応じた前記フィルタの透過量が、前記第２パルスに応じた前記フィルタの透過量よりも増加するように前記フィルタを制御することを特徴とする請求の範囲第３項に記載の光ピックアップ装置。
【請求項５】
前記光強度制御手段は、前記情報記録媒体に記録されるデータに応じて前記出射光の光強度を変化させるように前記光源を制御することを特徴とする請求の範囲第１項に記載の光ピックアップ装置。
【請求項６】
前記光強度制御手段は、前記情報記録媒体に記録されるデータに応じたストラテジパルスに応じて前記出射光の光強度を変化させるように前記光源を制御することを特徴とする請求の範囲第１項に記載の光ピックアップ装置。
【請求項７】
前記ストラテジパルスは、所定の第１振幅を有する第１パルスと前記第１振幅よりも小さい第２振幅を有する第２パルスとを少なくとも含んでおり、
前記光強度制御手段は、前記第１パルスに応じた前記出射光の光強度が、前記第２パルスに応じた前記出射光の光強度よりも大きくなるように前記光源を制御することを特徴とする請求の範囲第６項に記載の光ピックアップ装置。
【請求項８】
前記フィルタを透過した前記出射光の光強度をモニタリングするモニタリング手段を更に備え、
前記同期手段は、モニタリングされた光強度の積分値と所定の基準値とを比較することで、前記位相を同期させることを特徴とする請求の範囲第１項に記載の光ピックアップ装置。
【請求項９】
時間ｔにおける前記出射光の光強度の積分値をＶ（ｔ）とすると、前記同期手段は、Ｖ（ｔ＋Δｔ）―Ｖ（ｔ）が０又は最大値をとるように前記位相を同期させることを特徴とする請求の範囲第８項に記載の光ピックアップ装置。
【請求項１０】
前記フィルタは、
印加される電圧の値により吸収波長が変化する吸光層と、
前記吸光層に対して前記電圧を印加する電極と
を備えており、
前記フィルタ制御手段は、前記電極に対して印加する前記電圧の値を変更することで、前記フィルタの透過量を変更するように前記フィルタを制御することを特徴とする請求の範囲第１項に記載の光ピックアップ装置。
【請求項１１】
前記フィルタは、
印加される電圧の値により分子配列が変化する液晶素子を含む液晶層と、
前記液晶層に対して前記電圧を印加する電極と
を備えており、
前記フィルタ制御手段は、前記電極に対して印加する前記電圧の値を変更することで、前記フィルタの透過量を変更するように前記フィルタを制御することを特徴とする請求の範囲第１項に記載の光ピックアップ装置。
【請求項１２】
前記フィルタは、前記出射光の光路に対して予め定められた角度を持って配置されていることを特徴とする請求の範囲第１項に記載の光ピックアップ装置。
【請求項１３】
情報記録媒体の記録面に出射光を照射する光源と、前記出射光の光路上に配置され、入射される前記出射光の透過量を変更するフィルタとを備える光ピックアップ装置における前記出射光の照射方法であって、
前記出射光の光強度を略正弦波形状に変化させるように前記光源を制御する光強度制御工程と、
前記出射光の透過量を変更するように前記フィルタを制御するフィルタ制御工程と、
前記出射光の光強度の増減における立ち上がり及び立ち下がりの夫々の位相と、前記フィルタの透過量の変更における立ち上がり及び立ち下がりの夫々の位相とを同期させる同期工程と
を備えることを特徴とする照射方法。
【請求項１４】
情報記録媒体の記録面に出射光を照射する光源と、
前記出射光の光強度を略正弦波形状に変化させるように前記光源を制御する光強度制御手段と、
前記出射光の光路上に配置され、入射される前記出射光の透過量を変更するフィルタと、
前記出射光の透過量を変更するように前記フィルタを制御するフィルタ制御手段と、
前記出射光の光強度の増減における立ち上がり及び立ち下がりの夫々の位相と、前記フィルタの透過量の変更における立ち上がり及び立ち下がりの夫々の位相とを同期させる同期手段と、
前記情報記録媒体にデータを記録する記録手段と
を備えることを特徴とする情報記録装置。
【請求項１５】
情報記録媒体の記録面に出射光を照射する光源と、
前記出射光の光強度を略正弦波形状に変化させるように前記光源を制御する光強度制御手段と、
前記出射光の光路上に配置され、入射される前記出射光の透過量を変更するフィルタと、
前記出射光の透過量を変更するように前記フィルタを制御するフィルタ制御手段と、
前記出射光の光強度の増減における立ち上がり及び立ち下がりの夫々の位相と、前記フィルタの透過量の変更における立ち上がり及び立ち下がりの夫々の位相とを同期させる同期手段と、
前記情報記録媒体に記録されたデータを再生する再生手段と
を備えることを特徴とする情報再生装置。
【請求項１６】
情報記録媒体の記録面に出射光を照射する光源と、前記出射光の光強度を略正弦波形状に変化させるように前記光源を制御する光強度制御手段と、前記出射光の光路上に配置され、入射される前記出射光の透過量を変更するフィルタと、前記出射光の透過量を変更するように前記フィルタを制御するフィルタ制御手段と、前記出射光の光強度の増減における立ち上がり及び立ち下がりの夫々の位相と、前記フィルタの透過量の変更における立ち上がり及び立ち下がりの夫々の位相とを同期させる同期手段と、前記情報記録媒体にデータを記録する記録手段とを備える情報記録装置に備えられたコンピュータを制御する記録制御用のコンピュータプログラムであって、該コンピュータを、前記光強度制御手段、前記フィルタ制御手段及び前記同期手段の少なくとも一部として機能させることを特徴とするコンピュータプログラム。
【請求項１７】
情報記録媒体の記録面に出射光を照射する光源と、前記出射光の光強度を略正弦波形状に変化させるように前記光源を制御する光強度制御手段と、前記出射光の光路上に配置され、入射される前記出射光の透過量を変更するフィルタと、前記出射光の透過量を変更するように前記フィルタを制御するフィルタ制御手段と、前記情報記録媒体に記録されたデータを再生する再生手段とを備える情報再生装置に備えられたコンピュータを制御する再生制御用のコンピュータプログラムであって、該コンピュータを、前記光強度制御手段、前記フィルタ制御手段及び前記同期手段の少なくとも一部として機能させることを特徴とするコンピュータプログラム。
【手続補正２】
【補正対象書類名】明細書
【補正対象項目名】００８２
【補正方法】変更
【補正の内容】
【００８２】
図２に示すように、フィルタ１３の第１の具体例（以下、「フィルタ１３ａ」という）は、例えばＳｉＯ２（酸化珪素）のような透過性の高い基材により構成される基板１０１を備える。この基板１０１上には透明電極１０２が形成され、この透明電極１０２上にゾル・ゲル法或いは引き上げ法、蒸着等の方法による製膜後、焼成を行うことによりＥＣ層１０３が形成される。また、このＥＣ層１０３上には、更に透明電極１０４が積層される。この結果、透明電極１０２と透明電極１０４の間にＥＣ層１０３がサンドイッチされた状態にて形成されることとなる。透明電極１０２及び透明電極１０４は、夫々、フィルタ素子ドライブ回路２７内に設けられている電源と接続されており、フィルタ素子ドライブ回路２７は、透明電極１０２と透明電極１０４との間に所定の電圧を印加することにより、ＥＣ層１０３における吸光特性（例えば、吸収波長）を可逆的に変更させることとなる。つまり、フィルタ１３ａに入射する光ビームの透過量を可逆的に変更させることとなる。
【手続補正３】
【補正対象書類名】明細書
【補正対象項目名】００９７
【補正方法】変更
【補正の内容】
【００９７】
更には、光学的に光ビームの光強度を変化させることができるため、図６に示すような光ビームのオーバーシュートやアンダーシュートの発生をも抑制することができる。このため、オーバーシュートないしはアンダーシュートを発生させる要因となるレーザダイオード１１のパラメータのばらつきの許容範囲を相対的に拡大することができる。これにより、レーザダイオード１１の設計の幅（例えば、材料の選択の幅等）を相対的に広げることができる。加えて、光ディスク５０に照射される光ビームの波形という情報記録再生装置１の特性の均一化を比較的容易に図ることができる。
【手続補正４】
【補正対象書類名】明細書
【補正対象項目名】０１１１
【補正方法】変更
【補正の内容】
【０１１１】
より具体的には、時刻ｔにおける光ビームの光強度のＤＣ成分（即ち、光ビームの光強度の積分値）をＶ（ｔ）とすると、Ｖ（ｔ＋Δｔ）−Ｖ（ｔ）が、参照値である“０”又は“Ｖｍａｘ”と一致するか否かが比較される。そして、一致するか否かを示す比較結果が位相補償サーボ回路３４へ出力される。この場合、参照値と光ビームの光強度の積分値も、位相補償サーボ回路３４へ出力されるように構成してもよい。
【手続補正５】
【補正対象書類名】明細書
【補正対象項目名】０１１６
【補正方法】変更
【補正の内容】
【０１１６】
更に、本実施例にかかる情報記録再生装置２においては、ＣＰＵ２４やレーザドライブ回路２６やフィルタ素子ドライブ回路２７や積分回路３１や参照値格納回路３２やコンパレータ３３や位相補償サーボ回路３４等を、光ピックアップ１０ａと別体の装置により構成した例について説明したが、これらは光ピックアップ１０ａと一体的に構成するように、更にはレーザダイオード１１に含めるように構成しても良いことは言うまでもない。
【手続補正６】
【補正対象書類名】図面
【補正対象項目名】図７
【補正方法】変更
【補正の内容】
【図７】
2007052639.tif 000012
【国際調査報告】
2007052639.tif 000013
2007052639.tif 000014
2007052639.tif 000015
2007052639.tif 000016
2007052639.tif 000017
2007052639.tif 000018
2007052639.tif 000019
2007052639.tif 000020